(57)【特許請求の範囲】
【請求項１】
糸通し孔（３）に連通するスリット（４）が糸通し孔（３）の軸方向に沿って全長に亘って形成された中通し浮き（１）と、該中通し浮き（１）を糸に固定するための浮き固定具（２）とを備えた中通し浮きユニットであって、
浮き固定具（２）は、糸を挟んだ状態で中通し浮き（１）の糸通し孔（３）に軸方向に沿って圧入される本体部（７）と、該本体部（７）の側方に延出されてスリット（４）に係合する鍔部（８）とを備え、本体部（７）は、糸（Ｌ）を挟むための糸挟持部を備え、該糸挟持部は、本体部７の長手方向に沿って並設された第一挟持部（９）と第二挟持部（１０）とからなり、該第二挟持部（１０）は、固定部（１２）と、該固定部（１２）の一側部にヒンジ連結された開閉部（１３）とからなり、第一挟持部（９）が挟持する挟持方向に対して、第二挟持部（１０）の挟持方向が略直交していることを特徴とする中通し浮きユニット。
【請求項２】
前記鍔部（８）は、前記浮き固定具（２）の糸通し孔（３）への圧入状態において、先端部が前記中通し浮き（１）の外面から突出する長さを有していることを特徴とする請求項１記載の中通し浮きユニット。
【発明の詳細な説明】
【０００１】
【発明の属する技術分野】
本発明は、中通し浮きとその固定具とを備える中通し浮きユニット、及び浮き固定具の改良に関する。
【０００２】
【従来の技術】
従来、釣り糸を糸通し孔に通す構造である中通し浮きは、その交換の際に、一旦糸を切る必要があったため、釣り糸を切らずに簡単に交換、装着することができる中通し浮きが種々提案されており、例えば、特開平９−２８５２４４号公報所載のものが公知である。
【０００３】
かかる中通し浮き５０の構成は、図８のように、軸方向に沿って糸通し孔５１が形成され、該糸通し孔５１に連通するスリット５２が糸通し孔５１の軸方向に沿って形成されているものである。従って、このスリット５２を介して糸Ｌを糸通し孔５１に導き入れることができる。
【０００４】
また、該中通し浮き５０を糸Ｌに固定するために、図９のような棒状の弾性部材からなる浮き固定具５３を用いる。該浮き固定具５３には、外周面から中心線に向かって半径方向に割り溝５４が設けられており、該割り溝５４で糸Ｌを挟む構成となっている。
【０００５】
そして、浮き固定具５３をその軸方向に沿って伸長させて縮径させ、スリット５２から糸通し孔５１へと浮き固定具５３を装着させて図１０のような状態とする。かかる状態から、糸Ｌをスリット５２を介して浮き固定具５３の割り溝５４内に押入した後、浮き固定具５３の両端部を所定角度捻ることでスリット５２からの糸Ｌの抜けを防止することができ、これによって中通し浮き５０を糸Ｌに固定することができる。尚、中通し浮き５０と浮き固定具５３とから中通しユニットを構成する。
【０００６】
【発明が解決しようとする課題】
しかるに、上記従来の構成では、浮き固定具５３を糸通し孔５１にスリット５２から挿入する構成なるため、その装着が容易ではないという問題がある。即ち、浮き固定具５３の装着の際には、両手で浮き固定具５３を引っ張って行うので、中通し浮き５０はそのスリット５２の開口を上方に向けるようにして水平な場所に載置する必要がある。しかしながら、中通し浮き５０は略卵状であって安定性が悪いうえに、釣り場では水平な載置場所の確保が困難である。従って、浮き固定具５３を中通し浮き５０に装着しずらいという問題があったのである。
【０００７】
しかも、浮き固定具５３の装着後において糸Ｌを浮き固定具５３の割り溝５４内に押入する際にも同様に、中通し浮き５０が安定せず、よって、糸Ｌを容易に割り溝５４内に押入することができなかった。
【０００８】
そこで本発明は、上記従来の問題点に鑑みてなされたものであり、中通し浮きの糸への固定作業が簡単な中通し浮きユニット及び浮き固定具を提供することを課題とする。
【０００９】
【課題を解決するための手段】
本発明は、上記課題を解決すべくなされたものであり、本発明に係る中通し浮きユニットは、糸通し孔３に連通するスリット４が糸通し孔３の軸方向に沿って全長に亘って形成された中通し浮き１と、該中通し浮き１を糸に固定するための浮き固定具２とを備えた中通し浮きユニットであって、浮き固定具２は、糸を挟んだ状態で中通し浮き１の糸通し孔３に軸方向に沿って圧入される本体部７と、該本体部７の側方に延出されてスリット４に係合する鍔部８とを備え、本体部７は、糸Ｌを挟むための糸挟持部を備え、該糸挟持部は、本体部７の長手方向に沿って並設された第一挟持部９と第二挟持部１０とからなり、該第二挟持部１０は、固定部１２と、該固定部１２の一側部にヒンジ連結された開閉部１３とからなり、第一挟持部９が挟持する挟持方向に対して、第二挟持部１０の挟持方向が略直交していることを特徴とする。
【００１０】
本発明に係る中通し浮きユニットにあっては、中通し浮きの糸通し孔にスリットから糸を導き入れ、その糸を浮き固定具で挟み、その状態の浮き固定具を糸通し孔に軸方向に沿って圧入することにより、浮き固定具を糸通し孔に装着することができる。
【００１１】
このように、浮き固定具で糸を挟んだ後に該浮き固定具を中通し浮きに装着する構成なるため、その装着が容易である。
【００１２】
しかも、浮き固定具に鍔部を設けているので、鍔部がスリットに係合することにより、鍔部が糸通し孔への装着の際のガイドの役目を果たす。更に、該鍔部の先端部が圧入状態において中通し浮きの外面から突出するので、その鍔部の先端部を把持しながら浮き固定具を圧入することができる。
【００１３】
また、本発明に係る中通し浮きユニットは、前記鍔部８は、前記浮き固定具２の糸通し孔３への圧入状態において、先端部が前記中通し浮き１の外面から突出する長さを有していることを特徴とする。
【００１４】
【発明の実施の形態】
以下、本発明に係る中通し浮きユニット及び浮き固定具の一実施形態について、図１乃至図５を参酌しつつ、糸通し孔３に連通するスリット４が糸通し孔３の軸方向に沿って全長に亘って形成された中通し浮き１と、該中通し浮き１を糸Ｌに固定するための浮き固定具２とを備えた中通し浮きユニットについて説明する。
【００１５】
まず、図１のように、中通し浮き１は、縦長の略卵状に形成され、その流線形によって抵抗が少なくなっており、その縦方向に沿って糸通し孔３が設けられている。該糸通し孔３は横断面視略円形状を呈している。そして、該糸通し孔３を中心とし、径方向外側に向けて前記スリット４が形成されており、該スリット４を介して側方から糸Ｌを切らずに糸通し孔３に誘導できる構成である。また、スリット４に対向する両面の略中央外側端部には、後述する浮き固定具２のストッパ突起５が係合する係合凹部６が各々形成されている。
【００１６】
一方、浮き固定具２は、図２及び図３のように、糸通し孔３に軸方向に沿って圧入される縦長の本体部７と、該本体部７の側方に延設されて前記スリット４に係合する鍔部８とを備えている。
【００１７】
本体部７は、図４のように糸通し孔３に圧入された際に、両端部が僅かに中通し浮き１から突出する長さを有している。また、糸通し孔３と同様に、横断面視略円形状であるが、本体部７はゴム等の弾性体から形成されており、糸通し孔３への圧入状態を維持すべく、糸通し孔３よりも僅かに大径である。即ち、その保有弾性による弾性復元力で圧入状態を維持する構成である。尚、両端部は、圧入作業性を考慮して各々先端に向かって先細り形状を呈している。
【００１８】
また、本体部７には糸Ｌを挟むための糸挟持部が設けられている。本実施形態においては、糸挟持部は、本体部７の長手方向に沿って並設された第一挟持部９と第二挟持部１０とからなる。第一挟持部９と第二挟持部１０とは、糸Ｌの挟持方向が異なっている。本実施形態では略９０度の差を設けており、第一挟持部９が挟持する挟持方向に対して、第二挟持部１０のそれは略直交している。
【００１９】
具体的には、第一挟持部９は長手方向に沿った糸挟持用割り溝１１を有し、糸挟持用割り溝１１に糸Ｌを押入することで糸Ｌが左右に挟持される。また、第二挟持部１０は、断面視略半円状の固定部１２と、該固定部１２の一側部にヒンジ連結された断面視略半円状の開閉部１３とからなり、両者間に糸Ｌを前後に挟む構成であって、開閉部１３を閉じると断面視略円状となる。尚、本実施形態では、第一挟持部９を第二挟持部１０の長手方向両側に各々設けている。
【００２０】
即ち、本体部７は、長手方向に所定間隔離間した二箇所の第一挟持部９で糸Ｌを略同一方向に挟持すると共に、その二箇所の間の位置においては、開閉自在な二つの挟持片によって第一挟持部９の挟持方向と略直交する方向に糸Ｌを挟み込む構成である。該二つの挟持片が前記固定部１２と開閉部１３であり、固定部１２の長手方向両側に、第一挟持部９が各々延設されている構成である。
【００２１】
尚、固定部１２には、糸挟持用割り溝１１と略一直線で且つ、底部が糸挟持用割り溝１１の底部と略面一である縦溝１４が形成されており、図３（ロ）のように、縦溝１４に糸Ｌがはまり込む。
【００２２】
このように、本体部７は、第一挟持部９と第二挟持部１０で糸Ｌを相互に略直交する二方向に挟んだ後に、中通し浮き１の糸通し孔３にその軸方向に沿って圧入される。該圧入状態において、前記鍔部８は、その先端部が中通し浮き１の外面から側方に突出するような長さを有している。
【００２３】
該鍔部８は、舌片状を呈し、厚み方向に重ね合わせられた二つの板状部８ａ，８ｂを備える。該二つの板状部８ａ，８ｂは、前記固定部１２と開閉部１３に各々設けられ、ヒンジ部Ｐとは反対側の側部に各々側方に向けて延設されている。そして、開閉部１３が固定部１２側に閉じることによって厚み方向に重ね合わせられてスリット４に係合する厚みの鍔部８となる。
【００２４】
また、鍔部８の両面略中央には、スリット４の係合凹部６に係合するストッパ突起５が突設されている。該ストッパ突起５は、正面視略円状で、断面視略半円状である。そして、スリット４に鍔部８が係合した際に、ストッパ突起５が係合凹部６に係合することで、ストッパ突起５はストッパーとして機能し、浮き固定具２の抜けを防止する。また、ストッパ突起５が係合することで、浮き固定具２が中通し浮き１の正規の位置に装着できたことを知ることができる。尚、鍔部８もゴム等の弾性体から形成されており、本体部７と一体的に形成されている。
【００２５】
尚、固定部１２側に設けられた板状部８ａには、その両側縁部に、他方の板状部８ｂの両側縁部をガイドするガイド部１５が設けられている。
【００２６】
次に、以上のように構成された中通し浮きユニットの使用状態について説明する。
【００２７】
まず、糸Ｌを浮き固定具２で挟む作業を行う。即ち、開閉部１３を開き、その状態で、両糸挟持用割り溝１１に糸Ｌを押入する。この押入により、糸Ｌに浮き固定具２が保持される。尚、糸Ｌを張りながら糸挟持用割り溝１１へ押入することで、両糸挟持用割り溝１１間において糸Ｌが緩むことなく、縦溝１４にはまる。
【００２８】
そして、開閉部１３を閉じ、重ね合わせられた状態の鍔部８の先端部を摘み部として把持する。一方、中通し浮き１の糸通し孔３にはスリット４から誘導して糸Ｌを通し、該中通し浮き１を一方の手で持ちながら、他方の手では鍔部８の先端部を把持して鍔部８をスリット４に係入させつつ浮き固定具２の本体部７を糸通し孔３の一方の開口部から圧入する。このように徐々に圧入させていくと、鍔部８のストッパ突起５がスリット４の係合凹部６にはまり込み、中通し浮き１に対する浮き固定具２の位置決めがなされて浮き固定具２の圧入が終了すると共に糸Ｌへの中通し浮き１の固定作業も完了する。
【００２９】
逆に、中通し浮き１を交換する際には、鍔部８を持って浮き固定具２を糸通し孔３から外し、準備した別の中通し浮き１に浮き固定具２を装着することができる。つまり、糸通し孔３やスリット４並びに全長が略等しい中通し浮き１であれば、同じ浮き固定具２を使用することができる。尚、開閉部１３を開いて両糸挟持用割り溝１１から糸Ｌを外し、別の中通し浮きユニットに交換することもできる。
【００３０】
このように、浮き固定具２を軸方向に沿って圧入する構成であるうえに、糸Ｌを浮き固定具２で挟んだ後に、該浮き固定具２を圧入するので、両手で容易に浮き固定具２を装着することができる。また、鍔部８が圧入の際のガイドとなるので、夜間等のように見えにくい場合でも容易且つ素早く装着でき、鍔部８を把持することができるので装着性がより一層高まるのである。
【００３１】
また、糸挟持用割り溝１１に糸Ｌを押入することで糸Ｌに浮き固定具２を固定させることができるので、その状態で浮き固定具２を放してもその状態が維持される。しかも、糸挟持用割り溝１１と交差するように開閉部１３と固定部１２で糸Ｌを更に挟む構成であり、且つ、両者の挟持方向が異なり特に略直交しているので、中通し浮き１への圧入状態において、中通し浮き１の糸Ｌとの固定状態が確実となるのである。また、圧入状態においては、浮き固定具２が弾性体からなり、本体部７が径方向の圧縮力を受けるので、その圧縮力により、糸挟持用割り溝１１と開閉部１３とによる糸Ｌの挟持がより確実になる。
【００３２】
更に、浮き固定具２の弾性復元力に加えてストッパ突起５による抜け防止効果により、浮き固定具２の抜けが確実に防止できる。
【００３３】
一方、このように、中通し浮き１を糸Ｌに固定した状態で仕掛けを投下すると、鍔部８が中通し浮き１の外面から側方に突出しているので、該鍔部８が潮の流れを受けることとなって中通し浮き１の姿勢が安定化すると共に、潮の流れも容易に判別できる。また、潮の流れに仕掛けをのせて容易にポイントに誘導することができる。
【００３４】
尚、浮き固定具は、図６のように、糸挟持用割り溝１１を設けずに単に糸Ｌを二つの挟持片で挟持する構成とすることもでき、逆に、図７のように、第二挟持部１０を設けずに単に本体部７の糸挟持用割り溝１１に糸Ｌを押入させる構成とすることもできる。
【００３５】
【発明の効果】
以上のように、浮き固定具が糸を挟んでから中通し浮きに圧入される構成であるうえに、スリットを介して径方向に浮き固定具を装着するのではなくて軸方向に圧入する構成なるため、各々の手に糸を挟んだ浮き固定具と中通し浮きとを持って容易に糸に中通し浮きを固定することができる。
【００３６】
しかも、鍔部が圧入の際のガイドになるうえに、鍔部の先端部を把持できるので容易に浮き固定具を圧入できるのである。
【００３７】
また、浮き固定具の圧入状態において鍔部が外面から突出するので、突出した鍔部の先端部が例えば潮の流れを受けることで中通し浮きの姿勢が安定化し、鍔部によって潮の流れを判別できるうえに、鍔部によって容易且つ正確にポイントに仕掛けを誘導することができるという効果もある。
【図面の簡単な説明】
【図１】本発明の一実施形態における中通し浮きを示す斜視図。
【図２】本発明の一実施形態における浮き固定具を示す斜視図。
【図３】（イ）は図２のＡ−Ａ断面図、（ロ）は（イ）の要部拡大図。
【図４】本発明の一実施形態における中通し浮きユニットを示す正面図。
【図５】図４のＢ−Ｂ断面図。
【図６】他実施形態の浮き固定具を示し、（イ）は開状態の斜視図、（ロ）は閉状態の斜視図。
【図７】他実施形態の浮き固定具を示す側面図。
【図８】従来の中通し浮きを示す斜視図。
【図９】従来の浮き固定具を示す斜視図。
【図１０】従来の中通し浮きユニットを示す斜視図。
【符号の説明】
１…中通し浮き、２…浮き固定具、３…糸通し孔、４…スリット、５…ストッパ突起、６…係合凹部、７…本体部、８…鍔部、９…第一挟持部、１０…第二挟持部、１１…糸挟持用割り溝、１２…固定部、１３…開閉部、１４…縦溝、１５…ガイド部、Ｌ…糸、Ｐ…ヒンジ部
【図１】
0004435375.tif 000002
【図２】
0004435375.tif 000003
【図３】
0004435375.tif 000004
【図４】
0004435375.tif 000005
【図５】
0004435375.tif 000006
【図６】
0004435375.tif 000007
【図７】
0004435375.tif 000008
【図８】
0004435375.tif 000009
【図９】
0004435375.tif 000010
【図１０】
0004435375.tif 000011